(57)【要約】【課題】  誘導弾発射機において、誘導弾発射筒の排出口より噴出するブラストは、ブラスト遮蔽パネルにより遮られて、運搬車両側に巻き込まれることがなく、ブラストにより巻き上げられた砂じんが運搬車両側に及ぶことが低減される。【解決手段】  運搬車両Ｖ上の、誘導弾発射筒５を搭載した発射架台４の後部にブラスト遮蔽パネルＰを設け、このブラスト遮蔽パネルＰは、発射架台４に上下に反転可能に設けられる反転フレームＰ１と、この反転フレームＰ１に個々に伸縮可能に設けられる複数の伸縮パネルＰ２と、反転フレームＰ１を遮蔽するカバーパネルＰ３とよりなり、発射架台４の仰起時に、複数の伸縮パネルＰ２を個々の伸長制御して、それらの先端を着地させる。【選択図】      図１５
2006153302.tif 000002
【特許請求の範囲】
【請求項１】
運搬手段（Ｖ）上に設置される、誘導弾発射筒（５）を搭載した発射架台（４）と、
該発射架台（４）を運搬手段（Ｖ）上に俯伏させる俯伏位置と、運搬手段（Ｖ）の上方に仰起される仰起位置との間で俯仰駆動する駆動手段（８）とを備えた、誘導弾発射機において、
前記発射架台（４）に、該発射架台（４）の仰起時に使用位置に、またその俯伏時に格納位置に保持されるブラスト遮蔽パネル（Ｐ）を設け、該ブラスト遮蔽パネル（Ｐ）は、発射架台（４）に上下に反転可能に設けられる反転フレーム（Ｐ１）と、該反転フレーム（Ｐ１）に個々に伸縮可能に設けられる複数の伸縮パネル（Ｐ２）と、反転フレーム（Ｐ１）を遮蔽するカバーパネル（Ｐ３）とを備え、
前記発射架台（４）の仰起時には、使用位置にあるブラスト遮蔽パネル（Ｐ）の複数の伸縮パネル（Ｐ２）を、それらの個々の伸長制御により個別に着地させて、運搬手段（Ｖ）と誘導弾発射筒（５）のブラスト排出口（５Ｐ）間を遮蔽し、ブラストの運搬手段（Ｖ）側への巻き込みを阻止するようにしたことを特徴とする、誘導弾発射機におけるブラスト遮蔽装置。
【請求項２】
前記複数の伸縮パネル（Ｐ２）は、それらの隣接相互間に形成される間隙を遮蔽する遮蔽プレート（２５）を備えていることを特徴とする、前記請求項１記載の誘導弾発射機におけるブラスト遮蔽装置。
【発明の詳細な説明】
【技術分野】
【０００１】
本発明は、誘導弾発射機において、誘導弾発射時に発生するブラストの遮蔽装置に関するものである。
【背景技術】
【０００２】
従来、誘導弾発射機として、後記特許文献１および２に開示されたものが知られている。
【０００３】
特許文献１には、誘導弾発射機の後部に偏向装置を設け、誘導弾の発射時に発生するブラストを偏向装置で後方に流して発射機のタイヤなどがブラストによって影響を受けることがないようにしたものが開示されている。
【０００４】
また、前記特許文献２には、誘導弾発射機にブラストダクトを固定し、この発射機を垂直状態として誘導弾を発射したとき、ブラストは、向きを変えてブラストダクトから上方に噴出するようにして砂じんを巻き上げることがないようしたものが開示されている。
【特許文献１】特公平５−７４０００号公報
【特許文献２】実開昭２−１４５９４号のマイクロフィルム
【発明の開示】
【発明が解決しようとする課題】
【０００５】
ところが、前記特許文献１に開示されるものは、誘導弾の発射時のブラストにより巻き上げる砂じんが、誘導弾発射機の運搬車側へ巻き込むのを的確に防止することができないという問題があり、また特許文献２に開示されるものでは、ブラストを運搬車の上方へ導くための長いブラストダクトが必要になり、全体の装置が大型化するばかりでなくコスト高を招くという問題がある。
【０００６】
本発明はかかる実情に鑑みてなされたものであり、前記問題を解決した、新規な誘導弾発射機におけるブラスト遮蔽装置を提供することを目的とするものである。
【課題を解決するための手段】
【０００７】
前記目的達成のため、本請求項１記載の発明は、運搬手段上に設置される、誘導弾発射筒を搭載した発射架台と、該発射架台を運搬手段上に俯伏させる俯伏位置と、運搬手段の上方に仰起される仰起位置との間で俯仰駆動する駆動手段とを備えた、誘導弾発射機において、前記発射架台に、該発射架台の仰起時に使用位置に、またその俯伏時に格納位置に保持されるブラスト遮蔽パネルを設け、該ブラスト遮蔽パネルは、発射架台に上下に反転可能に設けられる反転フレームと、該反転フレームに個々に伸縮可能に設けられる複数の伸縮パネルと、反転フレームを遮蔽するカバーパネルとを備え、前記発射架台の仰起時には、使用位置にあるブラスト遮蔽パネルの複数の伸縮パネルを、それらの個々の伸長制御により個別に着地させて、運搬手段と誘導弾発射筒のブラスト排出口間を遮蔽し、ブラストの運搬手段側への巻き込みを阻止するようにしたことを特徴としている。
【０００８】
また、前記目的達成のため、本請求項２記載の発明は、前記請求項１記載のものにおいて、前記複数の伸縮パネルは、それらの隣接相互間に形成される間隙を遮蔽する遮蔽プレートを備えていることを特徴としている。
【発明の効果】
【０００９】
本請求項１記載の発明によれば、誘導弾発射筒の排出口より噴出するブラストは、ブラスト遮蔽パネルにより遮られて、運搬手段側に巻き込まれることが阻止され、ブラストにより巻き上げられた砂じんが運搬手段側に及ぶことが可及的に低減される。特に、複数の伸縮パネルを個々に伸縮制御するようにしているので、それらの伸縮作動を円滑、軽快に行うことができ、また、誘導弾発射機の設置場所が、不整地、傾斜地などであっても、それらの伸縮パネル先端を隙間少なく地上に着地させることができる。
【００１０】
また、本請求項２記載の発明によれば、隣り合う伸縮パネル間に形成される隙間は、遮蔽パネルにより遮られるので、伸縮パネルによるブラスト遮蔽作用を一層高めることができる。
【発明を実施するための最良の形態】
【００１１】
以下、本発明の実施の形態を、添付図面に例示した本発明の実施例に基づいて以下に具体的に説明する。
【００１２】
図１は、本発明ブラスト遮蔽装置を備えた運搬車両の全体側面図、図２は、図１の２線矢視の発射架台の平面図、図３は、図２の３矢視図、図４は、図３の４矢視のブラスト遮蔽パネルの後面図、図５は、ブラスト遮蔽パネルの分解斜視図、図６（Ａ）および（Ｂ）は、反転フレームの正面図およびそのＢ矢視図、図７（Ａ）および（Ｂ）は、伸縮パネルの正面図およびそのＢ矢視図、図８（Ａ）および（Ｂ）は、カバーパネルの正面図およびそのＢ矢視図、図９は、図４の９−９線に沿う拡大断面図、図１０は、図４の１０−１０線に沿う拡大断面図、図１１は、図４の１１−１１線に沿う拡大断面図、図１２は、図９の１２−１２線に沿う拡大断面図、図１３は、図１１の１３−１３線に沿う拡大断面図、図１４は、図４の１４−１４線に沿う拡大断面図、図１５は、ブラスト遮蔽装置の使用状態の側面図である。
【００１３】
図１にいて、誘導弾発射機の運搬手段としての運搬車両Ｖのシャシフレーム１に設けられるサブフレーム２上には、荷台３が脱着可能に設けられ、この荷台３上に発射架台４が俯仰可能に搭載される。荷台３は、従来公知の荷役手段によりサブフレーム２上と地上Ｇとの間を積み降ろし可能である。荷台３の後端には、ヒンジ軸７をもって発射架台４が連結されており、この発射架台４の前後中間部と、荷台３の後部間には、駆動手段としての俯仰シリンダ８が連結され、この俯仰シリンダ８の伸縮作動により、発射架台４は荷台３上に設置される俯伏位置（図１実線位置）と荷台３の上方に仰起される仰起位置（図１鎖線位置）との間を俯仰可能である。
【００１４】
シャシフレーム１の前後部には、前後アウトリガー９Ｆ，９Ｒが設けられ、これらのアウトリガー９Ｆ，９Ｒの伸長作動によれば、図１鎖線に示すように、それらの脚板が地上に接地されて、発射架台４の仰起時に、運搬車両Ｖを地上Ｇ上に安定支持させる。
【００１５】
図２，３に示すように、荷台３上に搭載される発射架台４は、複数の縦フレーム４Ｌと、複数の横フレーム４Ｔとにより平面視方形状に形成されており、それらのフレーム４Ｌ，４Ｒの交差部はスチフナ４Ｓの結合により補強されている。また、発射架台４の後部には、後述するブラスト遮蔽パネルＰを取付けるための取付フレーム４Ｆが一体に設けられ、この取付フレーム４Ｆの後端にはクロスメンバー４Ｃが固定されている。
【００１６】
発射架台４上には、誘導弾を装填する角筒状の誘導弾発射筒５が従来公知の支持手段（図示せず）を介して一体的に設けられ、この誘導弾発射筒５の後部に、誘導弾の発射時に発生するブラストを排出する排出口５Ｐが開口される。
【００１７】
つぎに、発射架台４後部の取付フレーム４Ｆに設けられる本発明にかかるブラスト遮蔽パネルＰの具体的な構造について説明する。
【００１８】
このブラスト遮蔽パネルＰは、反転フレームＰ１と、この反転フレームＰ１に伸縮可能に設けられる３つの伸縮パネルＰ２と、反転フレームＰ１を閉塞するカバーパネルＰ３とより構成される。
【００１９】
まず、主に図４〜６を参照して反転フレームＰ１の構造について説明するに、この反転フレームＰ１は、発射架台４の後部の取付フレーム４Ｆに上下方向に反転可能に取り付けられるのものであり、互いに平行な左右一対の案内骨１１，１１よりなる、左、右および中間の、３組の案内フレーム１０Ｌ，１０Ｒ，１０Ｎを備え、これらの案内フレーム１０Ｌ，１０Ｒ，１０Ｎは、それらとクロスする連結フレーム１２により一体に結合される。３組の案内フレーム１０Ｌ，１０Ｒ，１０Ｎは、それらの基端にそれぞれカラー１３が固定され、これらのカラー１３に発射架台４に支持した支持軸１４が回動自在に挿通される。反転フレームＰ１の基端と、発射架台４との間には、反転シリンダ１５が連結され、この反転シリンダ１５の伸縮作動により反転フレームＰ１は上下に反転可能である。反転フレームＰ１の後面には、複数のストッパー１６が突設され、これらのストッパー１６は、反転フレームＰ１の使用位置への反転時に、前記クロスメンバー４Ｃに衝合して反転フレームＰ１の使用位置への位置決めがなされる（図１５参照）。左、右および中間案内フレーム１０Ｌ，１０Ｒ，１０Ｎの先部には、案内パッド１７，１８がそれぞれ設けられ、これらの案内パッド１７，１８は、後述する複数の伸縮パネルＰ２の伸縮を案内する（図９参照）。
【００２０】
つぎに、主に図４，５，７を参照して、複数の伸縮パネルＰ２の構造について説明するに、複数の伸縮パネルＰ２は、３つの左、右および中間伸縮パネルＰ２（ｌ），Ｐ２（ｒ），Ｐ２（ｎ）よりなり、これらは反転フレームＰ１の左右および中間案内フレーム１０Ｌ，１０Ｒ，１０Ｎにそれぞれ伸縮可能に挿嵌されるように構成されており、互いに平行な一対の鞘部材２０，２０と、それらの鞘部材２０，２０を連結する連結部材２１と、鞘部材２０，２０と連結部材２１に接合される四角なパネル２２とより構成されている。各伸縮パネルＰ２の一対の鞘部材２０，２０は、前記案内フレーム１０の一対の案内骨１１，１１にそれぞれ抜差自在に差し込まれる。反転フレームＰ１の連結フレーム１２と、各伸縮パネルＰ２（ｌ），Ｐ２（ｒ），Ｐ２（ｎ）の連結部材２１との間には、それぞれ伸縮シリンダ２４が連結されており、各伸縮シリンダ２４の伸縮作動により、左右および中間の３つの伸縮パネルＰ２（ｌ），Ｐ２（ｒ），Ｐ２（ｎ）を、反転フレームＰ１の左右および中間の３つの案内フレーム１０Ｌ，１０Ｒ，１０Ｎに対して個別に伸縮させることができる。図７，１４に示すように、中間伸縮パネルＰ２（ｎ）の左右側縁には、帯状の遮蔽プレート２５，２５がそれぞれ固定されており、これらの遮蔽プレート２５，２５は、中間伸縮プレートＰ２（ｎ）の両側縁と、左、右伸縮プレートＰ２（ｌ），Ｐ２（ｒ）の片側縁間の間隙を遮蔽できるようにされている。
【００２１】
つぎに、図４，５，８を参照して、前記カバーパネルＰ３の構造について説明するに、このカバーパネルＰ３は、伸縮パネルＰ２の伸長時に、反転フレームＰ１を遮蔽できるように、これと略同じ幅に形成されており、方形状のパネル本体３１を、縦、横の補強部材３２，３３により補強して構成されている。このカバーパネルＰ３は、反転フレームＰ１に対して若干の相対移動ができるように取り付けられるものであり、すなわち、カバーパネルＰ３の基部は連結軸３４をもって反転フレームＰ１に回動可能に連結され、また、図１１、１３に示すように、カバーパネルＰ３より突設した取付片３５は、連結部材３８および弾性部材３６を介して反転フレームＰ１の案内骨１１に取り付けられる。カバーパネルＰ３の内面、すなわち反転フレームＰ１と対面する面の自由端には、その幅方向に沿って帯状のパッド３７が設けられ、このパッド３７は、伸縮パネルＰ２の一面に摺動可能に当接され、このカバーパネルＰ３と伸縮パネルＰ２の間をシールする（図９，１０参照）。
【００２２】
つぎに、この実施例の作用について説明する。
【００２３】
誘導弾発射機を移動する際には、図１実線に示すように、運搬車両Ｖは走行可能状態にあり、荷台３上に設置された発射架台４は俯伏位置にあって格納状態にあり、発射架台４上の誘導弾発射筒５は水平状態に維持される。このとき、反転フレームＰ１、伸縮パネルＰ２およびカバーパネルＰ３の３者よりなる、ブラスト遮蔽パネルＰは、反転シリンダ１５の伸長により、誘導弾発射筒５の後方において、略鉛直に起立した格納状態にある。この状態では、伸縮パネルＰ２は収縮しており、ブラスト遮蔽パネルＰの全高は低く抑えられる。
【００２４】
運搬車両Ｖの移動により目的地に達したところで、図１鎖線に示すように、アウトリガー９Ｆ，９Ｒを伸長作動して、その脚板を地上Ｇに接地させて運搬車両Ｖを地上に支持させたのち、駆動手段としての俯仰シリンダ８を伸長作動させて、発射架台４を誘導弾発射筒５と共に略垂直状態に仰起する。この状態から、反転シリンダ１５を収縮作動すれば、ブラスト遮蔽パネルＰは、図１５鎖線から実線に示すように、下方に向けて略９０°反転されて、その先端が地上Ｇに対向する。複数のストッパー１６は、発射架台４後端のクロスメンバー４Ｃに衝合してブラスト遮蔽パネルＰの反転位置すなわち使用位置に位置決めされる。
【００２５】
つぎに、伸縮シリンダ２４の伸長作動により、伸縮パネルＰ２を伸長作動する。このとき、左、右および中間の３つの伸縮パネルＰ２（ｌ），Ｐ２（ｒ），Ｐ２（ｎ）は、それらに対応する伸縮シリンダ２４の個別の作動制御により、それらの伸縮パネルＰ２（ｌ），Ｐ２（ｒ），Ｐ２（ｎ）の先端を、地上Ｇに着地させる。これにより、運搬車両Ｖと誘導弾発射筒５のブラスト排出口５Ｐ間を遮蔽することができる。また、左、右および中間の３つの伸縮パネルＰ２（ｌ），Ｐ２（ｒ），Ｐ２（ｎ）は、個別に伸長制御が可能であるので、不整地、傾斜地であってもそれらの先端を、地上Ｇとの間に隙間を生じることなく着地させることができる。また、３つの伸縮パネルＰ２（ｌ），Ｐ２（ｒ），Ｐ２（ｎ）間の隙間は、遮蔽プレート２５により遮蔽することができる。さらに、反転フレームＰ１の隙間はカバーパネルＰ３により遮蔽される。これにより発射準備が完了する。誘導弾発射筒５より誘導弾を発射した際に、誘導弾発射筒５より噴出するブラストは、ブラスト遮蔽パネルＰ１により遮られて、運搬手段としての運搬車両Ｖ側に巻き込まれることがなく、ブラストにより巻き上げられた砂じんが運搬車両側に及ぶことが可及的に低減される。特に、伸縮パネルＰ２は、左、右および中間の３つの伸縮パネルＰ２（ｌ），Ｐ２（ｒ），Ｐ２（ｎ）よりなり、それらを個々に伸縮制御するようにしているので、それらの伸縮作動を円滑、軽快に行うことができ、また、誘導弾発射機の発射場所が、不整地、傾斜地などであってもそれらの伸縮パネルＰ２（ｌ），Ｐ２（ｒ），Ｐ２（ｎ）の先端を隙間少なく地上に着地させることができる。
【００２６】
以上、本発明の実施例について説明したが、本発明はその実施例に限定されることなく、本発明の範囲内で種々の実施例が可能である。
【００２７】
たとえば、前記実施例では、伸縮パネルは３つに分割されるが、これを２つあるいは４つ以上に分割してもよい。
【図面の簡単な説明】
【００２８】
【図１】ブラスト遮蔽装置を備えた運搬車両の全体側面図
【図２】図１の２線矢視の発射架台の平面図
【図３】図２の３矢視図
【図４】図３の４矢視のブラスト遮蔽パネルの後面図
【図５】ブラスト遮蔽パネルブの分解斜視図
【図６】（Ａ）および（Ｂ）は、反転フレームの正面図およびそのＢ矢視図
【図７】（Ａ）および（Ｂ）は、伸縮パネルの正面図およびそのＢ矢視図
【図８】（Ａ）および（Ｂ）は、カバーパネルの正面図およびそのＢ矢視図
【図９】図４の９−９線に沿う拡大断面図
【図１０】図４の１０−１０線に沿う拡大断面図
【図１１】図４の１１−１１線に沿う拡大断面図
【図１２】図９の１２−１２線に沿う拡大断面図
【図１３】図１１の１３−１３線に沿う拡大断面図
【図１４】図４の１４−１４線に沿う拡大断面図
【図１５】ブラスト遮蔽装置の使用状態の側面図
【符号の説明】
【００２９】
４・・・・・・・発射架台
５・・・・・・・誘導弾発射筒
５Ｐ・・・・・・ブラスト排出口
８・・・・・・・駆動手段（俯仰シリンダ）
Ｐ・・・・・・・ブラスト遮蔽パネル
Ｐ１・・・・・・反転フレーム
Ｐ２・・・・・・伸縮パネル
Ｐ３・・・・・・カバーパネル
Ｖ・・・・・・・運搬手段（運搬車両）
【図１】
2006153302.tif 000003
【図２】
2006153302.tif 000004
【図３】
2006153302.tif 000005
【図４】
2006153302.tif 000006
【図５】
2006153302.tif 000007
【図６】
2006153302.tif 000008
【図７】
2006153302.tif 000009
【図８】
2006153302.tif 000010
【図９】
2006153302.tif 000011
【図１０】
2006153302.tif 000012
【図１１】
2006153302.tif 000013
【図１２】
2006153302.tif 000014
【図１３】
2006153302.tif 000015
【図１４】
2006153302.tif 000016
【図１５】
2006153302.tif 000017